(57)【特許請求の範囲】
【請求項１】
上面が開口するとともに側面に開閉ゲートが設けられた処理ボックスを、その底面がヘドロ層の上面より下方に位置するように水中に設置し、設置した処理ボックスを開閉ゲートを開放した状態で水底面に沿って移動することにより、ヘドロ層のヘドロを処理ボックスの内部に取り込み、しかる後に開閉ゲートを閉塞して処理ボックスを周囲から締め切ることにより水及びヘドロの流通を遮断し、次いで処理ボックスの内部を排水した後、処理ボックス内に残ったヘドロを改良して排出処理する工程からなり、かかる工程を繰り返して、水底面に堆積したヘドロを処理することを特徴とするヘドロの処理方法。
【請求項２】
上面が開口するとともに、その側面に開閉ゲートを備えた処理ボックスと、該処理ボックスを挟むようにして少なくともこれの両側に配置されることにより、前記処理ボックスを所定の深さで水中に設置した状態に保持する台船とからなることを特徴とするヘドロの処理装置。
【発明の詳細な説明】
【０００１】
【発明の属する技術分野】
この発明は、ヘドロの処理方法及びヘドロの処理装置に関する。
【０００２】
【従来の技術】
地域開発や生活水準の向上に伴ない、河川や湖沼などに流入する水の中に浮遊物が増加し、流量の減少と相まって沈殿する土粒子・微粒子や有機物が増加する傾向にあり、このような沈殿物の増加は、特に都市部の河川や湖沼などにおいて顕著である。
【０００３】
これらの水底に堆積した沈殿物は、ヘドロと通称されているが、河川等の流積を減らすとともに水深を浅くし、また悪臭の原因などともなるため、これを除去することが急務となっている
そして、水底に堆積したヘドロを除去する方法としては、一般に、例えばガット船に設けられた水中バケットで水底を掘ったり、ポンプ船で浚渫したりする方法が採用されている。
【０００４】
【発明が解決しようとする課題】
しかしながら、ヘドロは含水比が非常に高く、また流動し易いとともに水中に拡散し易い性質を備えていて取り扱いが難しいため、水中バケットで水底を掘ったりポンプ船で浚渫する方法では、ヘドロを乱して汚濁や悪臭を発生し、作業効率も低下することになるという課題があった。
【０００５】
また、掘削作業や浚渫作業によって得られたヘドロは、そのままの状態では高含水率の汚泥として扱われるため、これを脱水して硬化させる処理をさらに必要とすることになるという課題があった。
【０００６】
そこで、この発明は、このような従来の課題に着目してなされたもので、水の汚濁や悪臭の発生を容易に抑制しつつ処理して行くことができるとともに、汚泥状態のヘドロを容易に改良しながら処理して行くことのできるヘドロの処理方法及びヘドロの処理装置を提供することを目的とするものである。
【０００７】
【課題を解決するための手段】
この発明は、上記目的を達成するためになされたもので、その要旨は、上面が開口するとともに側面に開閉ゲートが設けられた処理ボックスを、その底面がヘドロ層の上面より下方に位置するように水中に設置し、設置した処理ボックスを開閉ゲートを開放した状態で水底面に沿って移動することにより、ヘドロ層のヘドロを処理ボックスの内部に取り込み、しかる後に開閉ゲートを閉塞して処理ボックスを周囲から締め切ることにより水及びヘドロの流通を遮断し、次いで処理ボックスの内部を排水した後、処理ボックス内に残ったヘドロを改良して排出処理する工程からなり、かかる工程を繰り返して、水底面に堆積したヘドロを処理することを特徴とするヘドロの処理方法にある。
【０００８】
また、この発明の他の要旨は、上面が開口するとともに、その側面に開閉ゲートを備えた処理ボックスと、該処理ボックスを挟むようにして少なくともこれの両側に配置されることにより、前記処理ボックスを所定の深さで水中に設置した状態に保持する台船とからなることを特徴とするヘドロの処理装置にある。
【０００９】
また、この発明のヘドロの処理装置は、前記台船上に、クレーン装置を設けるようにすることが好ましい。
【００１０】
そして、この発明のヘドロの処理方法によれば、その底面がヘドロ層の上面より下方に位置するように処理ボックスを水中に設置し、開閉ゲートを開放して水底面に沿って静かに移動すれば、処理ボックスの底部分がヘドロ層に押し込まれてゆくことにより、ヘドロ層を形成するヘドロを乱すことなく当該ヘドロを処理ボックスの内部に容易に取り込むことができる。
【００１１】
また、ヘドロを処理ボックスの内部に取り込んだ後、開閉ゲートを閉塞することにより、処理ボックスの内部は外部の水やヘドロから遮断されることになるため、処理ボックスの内部において、外部とは無関係に、排水作業や残ったヘドロの改良作業を容易に行うことができ、さらにかかる改良作業中において外部の水の汚濁等を生じることがない。
【００１２】
そして、この発明のヘドロの処理装置によれば、処理ボックスは、これの両側に配置される台船により支持されて、底面がヘドロ層の上面より下方に位置するように保持されるとともに、このように処理ボックスを水中に設置した状態で、台船を、例えば曳船を使用したりアンカーを介したワイヤー引き等によって移動することにより、処理ボックスの底部分をヘドロ層に容易に押し込んで、ヘドロを処理ボックスの内部に取り込み、その後の改良処理を行ってゆくことが可能になる。
【００１３】
また、台船上に、クレーン装置を設けておくことにより、処理ボックス内におけるヘドロの改良処理作業や改良したヘドロの排出処理作業を、容易に行ってゆくことができる。
【００１４】
【発明の実施の形態】
次に、この発明の好ましい実施の形態すなわち実施例について、添付図面を参照しつつ詳細に説明する。この実施形態にかかるヘドロの処理装置１０は、図１、図２、及び図３に示すように、上面が開口するとともに、その一側面に開閉ゲート１１を備えた処理ボックス１２と、この処理ボックス１２を挟むようにしてこれの両側に配置されることにより、処理ボックス１２を所定の深さで水中に設置した状態に保持する一対の側方台船１３とからなり、さらに、処理ボックス１２の開閉ゲート１１が設けられた一側面とは反対側の側面に連接するようにして、一対の側方台船１３の間に後方台船１４が設けられるとともに、側方台船１３上には、一対のクレーン脚２０、クレーンビーム１５、及び複数の吊下げウィンチ１６からなるクレーン装置１７が設けられている。
【００１５】
ここで、処理ボックス１２は、直方体状に加工製作された鋼製の函体であって、その上面が開放されているとともに、その一側面には、その上方部分及び開口１８の周囲に二重構造のゲートガイド２５が設けられ、このゲートガイド１５に沿って鋼製のゲート板２６を昇降させることによって、開口１８を開閉する開閉ゲート１１が構成されることになる。なお、ゲートガイド２５の内面には、例えばゴム製のパッキン部材が適宜設けられていて、開閉ゲート１１を閉塞して処理ボックス１２の内部を排水する際に、外部からの水圧によってゲート板１７がゲートガイド２５の内面に密着することにより、止水性が容易に保持されるようになっている。
【００１６】
また、この処理ボックス１２を挟むようにしてこれの両側に配置される一対の側方台船１３は、例えば鋼製の中空の函体からなり、安定した状態で水面上に浮遊するとともに、処理ボックス１２を挟む内側面には、処理ボックス１２を当該内側面に沿って上下にスライドさせるとともに、スライド移動させた任意の高さに固定することのできる、例えば処理ボックス１２の側面に取り付けたナット部材を螺合するネジロッドなどからなる、スライドガイド２７が複数設けられている。なお、かかる一対の側方台船１３上には、ヘドロ処理のための脱水材や脱水設備、土質改良剤などが設けられる他、ゼネレータや詰所などのその他の設備や施設が設けられることになる。
【００１７】
さらに、処理ボックス１２に連接して設けられる後方台船１４は、側方台船１３と同様に、例えば鋼製の中空の函体からなり、一対の側方台船１３と処理ボックス１２とによって形成される凹部に引込み・引出し可能に遊嵌配置されるようになっている。なお、この後方台船１４には、処理されたヘドロを積み込むための残土コンテナ１９が設けられることになる。
【００１８】
そして、クレーン装置１７を構成する一対のクレーン脚２０は、各々、例えば溶接やボルト締めなどによって、Ｈ形鋼を脚部が三角トラス形状で正面が門形形状の強固な構造に製作加工したもので、一対の脚部を両側の側方台船１３に各々固定して、処理ボックス１２あるいは後方台船１４の上方を跨るようにして強固に立設固定されることになる。
【００１９】
また、かかる一対のクレーン脚２０により支持されるクレーンビーム１５は、例えばＩ型鋼からなり、その上側フランジをボルト接合や溶接によって一対のクレーン脚２０の梁部中央部分に強固に固定することによって、処理ボックス１２及びこれに連接する後方台船１４の長手方向に沿って、これらの直上に架設配置されることになる。
【００２０】
さらに、クレーンビーム１５に取り付けられる吊下げウィンチ１６としては、例えばゼネレータからの電力で駆動するモータウィンチ等を用いることができ、クレーンビーム１５に沿って移動可能に複数取り付けられて、開閉ゲート１１のゲート板２６の昇降、クラムシェルバケット２２の昇降移動や開閉、残土コンテナ１９やその他の荷役の昇降移動などを行うことになる。
【００２１】
そして、上述のような構成を有するヘドロの処理装置１０を用いて、水中のヘドロを処理して行くには、まず、処理ボックス１２の底面がヘドロ層２３の下層部分に位置するように、ヘドロ層２３の厚さや深さに応じて処理ボックス１２の水中における高さを調整して処理ボックス１２を側方台船１３に固定するとともに、開閉ゲート１１を開放した状態で側方台船１３を、例えばアンカーを介したワイヤー引きによって、図１の矢印方向に静かに前進移動させれば、処理ボックス１２の底部分がヘドロ層２３に押し込まれてゆくことにより、ヘドロ層２３を形成するヘドロを乱すことなく当該ヘドロが処理ボックス１２の内部に容易に取り込まれてゆくことになる。
【００２２】
次に、ゲート板２６を降ろして開閉ゲート１１を閉塞すれば、ヘドロが取り込まれた処理ボックス１２の内部は、外部の水やヘドロの流通が遮断されることになり、内部の水を排水してゆくことにより、取り込まれたヘドロが現れてくるので、かかる処理ボックス１２の内部のヘドロに対して改良作業を行う。
【００２３】
すなわち、かかる改良作業は、処理ボックス１２の内部にセメントや石灰等からなる土質改良剤を散布投入し、クラムシェルバケット２２によって混合することにより行われるが、ヘドロの含水率が高い場合には、脱水材を散布したり、スポンジ等からなる吸水マットを敷ひろげて含水率を下げてから改良作業を行う。
【００２４】
また、このような改良作業により固化したヘドロは、クラムシェルバケット２２によって処理ボックス１２の内部から取り出され、残土コンテナ１９に積み込まれるとともに、後方台船１４により運搬されて処理場などに排出処理されることになる。
【００２５】
そして、改良したヘドロを取り出したら、開閉ゲート１１を開放して側方台船１３を再び前進移動させ、ヘドロを取り込むとともにこれを改良固化して排出処理する作業を繰り返すことにより、引き続いてヘドロの処理作業が行われることになる。
【００２６】
ここで、上述のようなヘドロの処理方法によれば、ヘドロを処理ボックスの内部に取り込んだ後、開閉ゲートを閉塞することにより、処理ボックスの内部は外部の水やヘドロから遮断されることになるため、処理ボックスの内部において、外部とは無関係に、排水作業や残ったヘドロの改良作業を容易に行うことができ、またかかる改良作業中において外部のヘドロを乱して水の汚濁等を生じることがない。
【００２７】
なお、この発明は、上記実施形態の実施の態様のものに限定されるものではなく、各請求項に記載された構成の範囲内において、種々に変更して採用することができる。例えば、台船上に設けられるクレーン装置は、必ずしも一対のクレーン脚２０、クレーンビーム１５、及び複数の吊下げウィンチ１６からなるクレーン装置１７である必要はなく、クローラクレーン等の吊り重機を台船上に積載してクレーン装置とすることもできる。
【００２８】
【発明の効果】
以上詳細に説明したように、この発明のヘドロの処理方法及びヘドロの処理装置によれば、処理ボックスを、その底面がヘドロ層の上面より下方に位置するように水中に設置し、設置した処理ボックスを開閉ゲートを開放した状態で水底面に沿って移動することにより、ヘドロ層のヘドロを処理ボックスの内部に取り込み、しかる後に開閉ゲートを閉塞して処理ボックスを周囲から締め切ることにより水及びヘドロの流通を遮断し、次いで処理ボックスの内部を排水した後、処理ボックス内に残ったヘドロを改良して排出処理するので、汚泥状態のヘドロを容易に改良しながら、かつ水の汚濁や悪臭の発生を容易に抑制しつつヘドロを処理して行くことができる。
【図面の簡単な説明】
【図１】この発明の一実施形態にかかるヘドロの処理装置の構成を説明する縦断面図である。
【図２】この発明の一実施形態にかかるヘドロの処理装置の構成を説明する横断面図である。
【図３】この発明の一実施形態にかかるヘドロの処理装置の構成を説明する平面図である。
【符号の説明】
１０  ヘドロの処理装置
１１  開閉ゲート
１２  処理ボックス
１３  側方台船
１４  後方台船
１６  吊下げウィンチ
１７  クレーン装置
１９  残土コンテナ
２２  クラムシェルバケット
２３  ヘドロ層
【図１】
0003705674.tif 000002
【図２】
0003705674.tif 000003
【図３】
0003705674.tif 000004